(57)【要約】  【課題】  スライド移動する操作つまみを中立位置へ自動復帰させるバネの組み立て性を向上させるとともに、組み立て後にバネの有無だけではなく、傾いていないかどうか、また操作つまみを移動させた時のバネの動作状態を確認することができる構造を提供する。  【解決手段】  ケースと、ケースの上面側に設置され上面に沿ってスライド移動する操作つまみと、ケースの下面側に設置され前記ケースに設けた開口を介して前記操作つまみに取り付けられ操作つまみと一体にスライド移動するつまみ受けと、前記操作つまみ及びつまみ受けを中立位置に自動復帰させるバネと、前記つまみ受けのレバー受け部によってレバーが移動される電子部品本体とを具備し、前記操作つまみをスライド移動することで前記つまみ受けをスライド移動させて、前記電子部品本体の電気的出力を変化可能とした撮像装置において、前記バネをつまみ受けに設けらた穴から確認できるようにした。【選択図】  図６
2013131412.tif 000002
【特許請求の範囲】
【請求項１】
ケースと、
ケースの上面側に設置され上面に沿ってスライド移動する操作つまみと、
ケースの下面側に設置され前記ケースに設けた開口を介して前記操作つまみに取り付けられ操作つまみと一体にスライド移動するつまみ受けと、
前記操作つまみ及びつまみ受けを中立位置に自動復帰させるバネと、
前記つまみ受けのレバー受け部によってレバーが移動される電子部品本体とを具備し、
前記操作つまみをスライド移動することで前記つまみ受けをスライド移動させて、前記電子部品本体の電気的出力を変化可能とした撮像装置において、
前記バネをつまみ受けに設けらた穴から確認できることを特徴とする撮像機器。
【請求項２】
前記撮像機器に組み付けられた状態のバネの長さよりも穴の長さの方が大きく、
前記つまみ受けをに設けられた穴から前記バネの両端が見えることを特徴とする請求項１に記載の撮像機器。
【請求項３】
操作つまみを移動させることで撮像装置のズーム倍率を変化させることができることを特徴とする請求項１または請求項２に記載の撮像機器。
【発明の詳細な説明】
【技術分野】
【０００１】
本発明はスライド移動するつまみを備える撮像機器に関するものである。
【背景技術】
【０００２】
従来より、ビデオカメラなどの撮像機器は撮影映像の画角を調整するため、撮影時にズーム操作を頻繁に行って撮影をしている。なめらかな画角調整操作を実現するためには、ワイド側・テレ側への操作時の荷重が均等である事や多くの摺動回数でも操作荷重が変わらないことが求められている。そのため圧縮バネを用いてスライド移動するつまみを中立位置に自動復帰する構造が考えられている（たとえば特許文献１）。
【先行技術文献】
【特許文献】
【０００３】
【特許文献１】特開2003-173904号公報
【発明の概要】
【発明が解決しようとする課題】
【０００４】
上記従来例ではつまみと摺動型物との密閉された空間に圧縮バネを圧縮させながら組み立ている。そのため組み立て中に圧縮バネが見えない状態のまま、部品の組み込みを行う必要があり、組み立て性に問題があった。また組み立て後には圧縮バネが正しく組み立てられていることが確認できない為、つまみを移動させた時のバネの挙動を確認することができなかった。
【課題を解決するための手段】
【０００５】
上記目的を達成するため、請求項１の撮像機器は、
ケースと、
ケースの上面側に設置され上面に沿ってスライド移動する操作つまみと、
ケースの下面側に設置され前記ケースに設けた開口を介して前記操作つまみに取り付けられ操作つまみと一体にスライド移動するつまみ受けと、
前記操作つまみ及びつまみ受けを中立位置に自動復帰させるバネと、
前記つまみ受けのレバー受け部によってレバーが移動される電子部品本体とを具備し、
前記操作つまみをスライド移動することで前記つまみ受けをスライド移動させて、前記電子部品本体の電気的出力を変化可能とした撮像装置において、
前記バネをつまみ受けに設けらた穴から確認できることを特徴としている。
【０００６】
請求項２の撮像機器は、請求項１に記載の撮像機器において、
前記撮像機器に組み付けられた状態のバネの長さよりも穴の長さの方が大きく、
前記つまみ受けをに設けられた穴から前記バネの両端が見える
ことを特徴としている。
【０００７】
請求項３の撮像機器は、請求項１または２に記載の撮像機器において、
操作つまみを移動させることで撮像装置のズーム倍率を変化させることができる
ことを特徴としている。
【発明の効果】
【０００８】
本発明によれば、
撮像機器のスライド動作を行うつまみを中立位置へ自動復帰させるバネを見ながら組み立てを行うことができ組み立て性を向上することができる。また組み立て後にバネの有無だけではなく、傾いていないかどうか、またつまみを移動させた時のバネの動作状態を確認することができる。
【図面の簡単な説明】
【０００９】
【図１】表示ユニット１５が開かれた状態のビデオカメラの斜視図
【図２】ズーム部周辺の分解斜視図
【図３】ケース１６を内側から見た図
【図４】図３におけるＡ−Ａ断面図
【図５】ケース１６にズームノブ１２とバネ１７の組み付けた図
【図６】ケース１６にズームノブ受け１８を組み付けた図
【図７】バネ確認開口３４周辺の拡大図
【図８】ケース１６にフレキシブル基板２０とフレキ受け板金２３を組み付けた図
【図９】表示ユニットが閉じられた状態のビデオカメラの上面図
【図１０】図９におけるＢ−Ｂ断面図
【図１１】ズームノブ１２をスライド移動をしている状態の図１０におけるＣ−Ｃ断面図
【図１２】ズームノブ１２をスライド移動をしている状態の図１０におけるＤ−Ｄ断面図
【発明を実施するための形態】
【００１０】
＜第１の実施形態＞
以下、本発明の第１の実施例について図を参照しながら説明する。
【００１１】
図１には、本発明の実施例である撮像機器としてのビデオカメラの外観を示す。カメラ本体１１には、レンズの光学ズームを変更するズームレバー１２、ビデオカメラの撮影設定を変更するための本体設定ボタン１３、動画の撮影を行うためのトリガーボタン１４、画像を表示する表示ユニット１５が設けられている。またカメラ本体１１の内部には、画像や音声を記録したり再生したりする記録再生部が設けられている。
【００１２】
図２は撮像機器のズーム部周辺部品の分解斜視図である。図２に示すように、本発明で説明するビデオカメラはケース１６とズームノブ１２とバネ１７とズームノブ受け１８とズームスイッチ１９とフレキシブル基板２０とフレキ受け板金２３が設けられている。下記で各構成部品について詳細な説明をする。
【００１３】
フレキシブル基板２０には本体設定ボタン１３のための押しボタンスイッチ２２やスライド式電子部品のズームスイッチ１９などが実装されている。ズームスイッチ１９はスライド式可変抵抗器であり、レバー２１を移動することにより、ズームスイッチ１９内部の導電パターンの抵抗値が変化して、ズームスイッチ１９の出力電圧が変化する。フレキシブル基板２０には押しボタンスイッチ２２やズームスイッチ１９などの電気的信号を他の基板に接続するための基板接続部２０ａが設けられている。またフレキシブル基板２０の裏面には両面テープが貼り付けられており、フレキ受け板金２３と両面テープにより接着固定される。
【００１４】
フレキ受け板金２３は本体設定ボタン１３が押された時の力を受けるように押しボタンスイッチ２２の裏面にも延長されており、ケース１６と固定するための複数のビス穴が設けられている。
【００１５】
ズームノブ受け１８にはその前側に２つのバネ圧縮部２４が設けられており、上面には穴２５が設けられている。また後方にはズームスイッチ１９のレバー２１を挟み込み、レバー２１を移動させるレバー受け部２６が設けられている。
【００１６】
ズームノブ１２は上面が略円形状を成すように形成されており、上面の中央、左右にそれぞれ指掛かり２７が設けられている。ズームノブ１２の下面部には突起２８が突出して設けられている。なお突起２８の幅は、組み立て後に場合にケース１６の開口２９内でズームノブ１２とズームノブ受け１８がスライド移動できるような幅となっている。
【００１７】
バネ１７は弾性金属製の線材で作られている圧縮バネであり、その長さはズームノブ受け１８に設けられた２つのバネ圧縮部２４感の距離よりも若干長く設定している。
【００１８】
ケース１６の上面には略長方形の開口２９が設けられており、開口２９の前後には摺動レール３０が設けられており、ズームノブ１２は摺動レール３０上をスライド移動できる。
【００１９】
ケース１６を内側から見た図を図３に示す。ケース１６の内側にはフレキ受け板金２３をビス止めするためのセルフタップ下穴３１が設けられている。またバネ１７を組み付みたてる際にバネ１７を収納するバネ収納部３２がリブ状の壁に囲まれ形成されている。図３における断面Ａ−Ａを図４に示す。図４において、バネ収納部の壁３３の先端はバネ１７を組み立てる際に組み立てやすいように、先端にＣ面の形状が形成されている。ここでバネ収納部の壁３３間の距離をＬ１と定義する。
【００２０】
次にこのズーム部周辺部分の組み立て方法を説明する。
【００２１】
図５はケース１６にズームノブ１２とバネ１７の組み付けた図である。ズームノブ１２の突起２８部分をケース１６の外側から開口２９の中に入れる。次にバネ１７を圧縮させてバネ収納部の壁３３の間に押しこみ、バネ収納部３２に組み付ける。
【００２２】
図６はケース１６にズームノブ受け１８を組み付けた図である。ズームノブ１２の突起２８にズームノブ１２の穴２５を合わせるようにして、ケース１６の内側からズームノブ受け１８を組み立てる。その後突起２８の先端を熱カシメをすることでズームノブ１２とズームノブ受け１８を固定する。このズームノブ受け１８を組み付ける際に、ズームノブ受け１８に設けられたバネ確認開口３４からバネ１７の両先端を確認することができる形状に設定している。
【００２３】
確認のポイントをバネ確認開口３４周辺の拡大図を示した図７で説明する。バネ確認開口３４の開口部の大きさをＬ２とすると、Ｌ２＞Ｌ１となっている。バネ確認開口３４部ではバネ１７の４隅の角部の位置を確認することができ、ケース１６にバネ１７が傾いた状態で収納されているかの確認ができる。またズームノブ受け１８を固定した後も、ズームノブ１２をスライド移動させたときのバネ１７の動作状態を確認することができる。
【００２４】
図８にケース１６にフレキシブル基板２０とフレキ受け板金２３を組み付けた図を示す。フレキ受け板金２３に開けられたレバー確認開口３５から、ズームスイッチ１９のレバー２１がズームノブ受け１８のレバー受け部２６に挟み込まれていることを確認しながらフレキシブル基板２０を接着したフレキ受け板金２３をケース１６にビス３６により固定する。
【００２５】
表示ユニットが閉じられた状態のビデオカメラの上面図を図９に示す。図９においてズームノブ１２の中心を通り、本体の前後方向の断面Ｂ−Ｂを図１０に示す。上記までで説明してきたように、ズームノブ１２とズームノブ受け１８でケース１６とバネ１７を挟み込むように組み立てられており、ズームノブ１２はケース１６の摺動レール３０上をスライド移動する。バネ１７はケース１６のバネ収納部３２とズームノブ受け１８のバネ接点部３７に囲われるように組み立てられている。バネ確認開口３４はズームノブ受け１８のバネ接点部３７から離れたところに設けられているので、ズームノブ１２がスライド移動をしたときに、バネ１７が圧縮動作をおこなっても、バネ確認開口３４部にバネ１７がかかることはない。またズーム部周辺の部品配置としては、バネ１７とズームスイッチ１９はズームノブ１２ホルダーのそれぞれ反対側に配置することにより、ズーム部の構造の薄型を図っている。
【００２６】
ズームノブ１２をスライドさせた時の図１０におけるＣ−Ｃ断面図、Ｄ−Ｄ断面図をそれぞれ図１１，１２に示す。図１１ではズームノブ１２と同時にズームノブ受け１８も矢印Ｅ方向に移動させている。バネ１７はケース１６の収納部の壁とズームノブ受け１８のバネ圧縮部２４の壁によって圧縮され弾発された状態になっている。そして矢印Ｅ方向へのズームノブ１２を押圧を解除させると、バネ１７の弾発力によりズームノブ１２およびズームノブ受け１８は中立位置まで自動復帰する。
【００２７】
図１２ではズームノブ１２の突起２８がケース１６の開口２９の壁に当接してズームノブ１２の移動量を規制した状態を示している。ズームノブ受け１８のレバー受け部２６により保持されているため、ズームスイッチ１９のレバー２１もＥ方向に移動しており、この時のズームスイッチ１９のレバー２１の移動量に応じて、ズームスイッチ１９の内部抵抗が変化している。またズームノブ１２およびズームノブ受け１８を中立位置まで自動復帰させると、ズームスイッチ１９のレバー２１もズームノブ受け１８のレバー受け部２６に挟まれながら中間位置まで移動する。この状態でのズームスイッチ１９の出力信号でズーム操作がＯＦＦとなるように設定している。
【００２８】
以上、ビデオカメラのズーム部周辺の構造や組み立て方法について詳述してきたが、本発明はこれら特定の実施形態に限られるものではなく、この発明の要旨を逸脱しない範囲の様々な形態も本発明に含まれる。
【００２９】
部品の形状は任意に変更は可能である。また上述の実施形態の一部を適宜組み合わせてもよい。なお直接明細書および図面に記載がないいずれかの形状や構造や材質であっても、本発明の作用・効果を奏する以上、本発明の技術的思想の範囲内である。本発明ではケース１６にバネ１７の収納部を設けているが、他の部品で構成してもよい。
【符号の説明】
【００３０】
１１‥‥カメラ本体
１２‥‥ズームノブ
１３‥‥本体設定ボタン
１４‥‥トリガーボタン
１５‥‥表示ユニット
１６‥‥ケース
１７‥‥バネ
１８‥‥ズームノブ受け
１９‥‥ズームスイッチ
２０‥‥フレキシブル基板
２１‥‥レバー
２２‥‥押しボタンスイッチ
２３‥‥フレキ受け板金
２４‥‥バネ圧縮部
２５‥‥穴
２６‥‥レバー受け部
２７‥‥指掛かり
２８‥‥突起
２９‥‥開口
３０‥‥摺動レール
３１‥‥セルフタップ下穴
３２‥‥バネ収納部
３３‥‥バネ収納部の壁
３４‥‥バネ確認開口
３５‥‥レバー確認開口
３６‥‥ビス
３７‥‥バネ接点部
Ｌ１‥‥バネ収納部の壁３３間の距離
Ｌ２‥‥バネ確認開口３４の開口部の大きさ
【図１】
2013131412.tif 000003
【図２】
2013131412.tif 000004
【図３】
2013131412.tif 000005
【図４】
2013131412.tif 000006
【図５】
2013131412.tif 000007
【図６】
2013131412.tif 000008
【図７】
2013131412.tif 000009
【図８】
2013131412.tif 000010
【図９】
2013131412.tif 000011
【図１０】
2013131412.tif 000012
【図１１】
2013131412.tif 000013
【図１２】
2013131412.tif 000014